(57)【要約】      （修正有）【課題】従来の遠赤外線を使用したサウナは遠赤外線を放射する岩盤を使用していたため、形状の自由度が無く重量があり割れや欠け等の故障が発生しやすいとともに、目的とする育成光線の波長範囲を任意に設計することが困難であることから、体内からの発汗を促進するためにはサウナ室内の温度を高温に設定する必要があり息苦しさを感じるという課題があった。また、サウナ室内の空気をイオン化する効率が低く、サウナ室内をイオンで高密度化するのが困難であった。【解決手段】サウナ室１０１内に、育成光線の波長範囲である３〜１６μｍの範囲内において最も多い遠赤外線を放射する遠赤外線放射加熱装置１０２と比表面積を大きく設計できるこんにゃく繊維にイオン成分を放射する物質を形成することで多量のイオンを発生させるイオン発生装置１０３により、豊富なイオンを体内に取り込みながら３０〜４０℃の低温環境で身体に育成光線を放射する。【選択図】図１
2011189038.tif 000002
【特許請求の範囲】
【請求項１】
空間をケーシングで囲み、前記ケーシング内部に遠赤外線を放射する遠赤外線放射加  熱手段とイオンを発生させるイオン発生手段と前記イオンを前記ケーシング内部におい  て循環させるイオン循環手段とを有する遠赤外線低温サウナ装置。
【請求項２】
前記遠赤外線は遠赤外線吸収波長が３〜１６μｍの波長域において遠赤外線放射ピー  ク範囲を有した育成光線を放射することを特徴とする請求項１記載の遠赤外線低温サウ  ナ装置。
【請求項３】
前記遠赤外線放射加熱手段は少なくともアルミナ、酸化チタン及び遠赤外線を放射す  る天然鉱石を配合調整してなる遠赤外線放射粉体と結着剤からなる遠赤外線発生層を設  けたことを特徴とする請求項１乃至請求項２記載の遠赤外線低温サウナ装置。
【請求項４】
前記結着剤は蒟蒻繊維もしくは耐熱塗料もしくはセメントからなることを特徴とする  請求項３記載の遠赤外線低温サウナ装置。
【請求項５】
前記イオン発生手段は、イオン放射微粉末を含有し、結合材として蒟蒻繊維を含むイ  オン発生層を通して空気を循環又は空気を吸引する構成としたことを特徴とする請求項  １乃至請求項４のいずれか一項に記載する遠赤外線低温サウナ装置。
【請求項６】
前記遠赤外線放射加熱手段に向けて前記イオン発生手段により生成したイオンを送風  通過させることを特徴とした請求項１乃至請求項５記載の遠赤外線低温サウナ装置。
【請求項７】
前記空間内部を上下に仕切る仕切り手段を有することを特徴とする請求項１乃至請求
項６記載のいずれか一項に記載する遠赤外線低温サウナ装置。
【発明の詳細な説明】
【技術分野】
【０００１】
本発明は遠赤外線吸収波長が３〜１６μｍの育成光線を放射する遠赤外線発生物質から構成される遠赤外線放射装置と空気をイオン化するイオン発生装置を有し、イオン化した雰囲気中で室内の温度を低温に維持した遠赤外線低温サウナに関するものである。
【背景技術】
【０００２】
近年、遠赤外線低温サウナとして、サウナ室の前壁面部やベンチおよび後壁面部にそれぞれ遠赤外線ヒーターを配設し、ヒーター上面部を覆うように大理石、電気石（トルマリン）、麦飯石、ブラックシリカ（黒鉛ブラックシリカ（黒鉛珪石）、人造石からなる群から選択された岩盤を、前記遠赤外線ヒーターの上面部の一部を覆うように前記パネルに装着して一体化パネル構造とし、前記遠赤外線ヒーター及び岩盤等から発生する遠赤外線・マイナスイオンを利用し低温で安定した温度で入浴できるようにした遠赤外線低温サウナが提案されている。（例えば実用新案文献１）
【０００３】
また、サウナ室に遠赤外線を放射するセラミックスを混和させた蓄熱材を敷設した床面と、床面の蓄熱材に配設した加熱手段と、マイナスイオンを発生させるマイナスイオン発生手段と、ハウスの壁材に珪藻土を混和させて張設した側壁面とを備えたものも提案されている。（例えば特許文献２）
【特許文献１】実用新案登録第3138385号公報
【特許文献２】特開2003-47639号公報
【発明の開示】
【発明が解決しようとする課題】
【０００４】
しかしながら上記従来の構成では、実用新案文献１の遠赤外線を放射する物質は大理石、電気石（トルマリン）、麦飯石、ブラックシリカ（黒鉛ブラックシリカ（黒鉛珪石）、人造石からなる群から選択された岩盤であるため、遠赤外線を放射する物質自体の重量が重くなることや衝撃等により割れやすい等の課題を有している。また、岩盤の放射する遠赤外線波長分布は各々の岩盤の特性として固有な値であるため、育成光線の波長範囲を放射する任意の遠赤外線波長分布を得ることができないという問題点もあった。
【０００５】
また、特許文献２ではセラミックスを混和させた蓄熱材を敷設した床面と、床面の蓄熱材に配設した加熱手段から構成しサウナ室内を下部から加熱する方法を採用している。そのため、サウナ室内に入浴する人体の足元にのみ遠赤外線を放射することになるため、人体の背中など上部半身全体に効率良く遠赤外線を放射することができないという課題があった。
【課題を解決するための手段】
【０００６】
上記課題を解決するために本発明は、空間をケーシングで囲み、前記ケーシング内部に遠赤外線を放射する遠赤外線放射加熱手段とイオンを発生させるイオン発生手段と前記イオンを前記ケーシング内部において循環させるイオン循環手段とからなることを特徴としている。従って、体内の水分子と共鳴・同調して増幅作用を起こし、振動エネルギーが熱エネルギーに変わることにより温かさを感じることになる。この共鳴現象により、育成光線が身体の内部にまで深く到達して熱エネルギーに変わることにより、身体の芯まで均一に熱が広がり身体を暖め、血管を拡張させ、血液の循環を良くすることになる。これにより新鮮な酸素を多く体中の細胞に送り込こむことで新陳代謝を促進するという作用を有している。  また、イオン化した空気に遠赤外線を重畳し体内に取り込むことにより、イオン化した空気のマイナスイオン成分はプラスイオンを中和し、細胞の酸化を抑制し、体を健康な弱アルカリ性に保もちながら、なおかつ細胞の不安定な分子に電子を与え、活性酸素の発生そのものを抑えるなどの作用を有することになる。
【０００７】
また本発明の第２の発明は、前記遠赤外線は遠赤外線吸収波長が３〜１６μｍの波長域において遠赤外線放射ピーク範囲を有した育成光線を放射することを特徴としている。従って、身体の固有振動数にあたる波長が３〜１６μｍの育成光線が身体に照射されると、体内の水分子と共鳴・同調して増幅作用を起こし、振動エネルギーが熱エネルギーに変わることにより温かさを感じることになる。この共鳴現象により、育成光線が身体の内部にまで深く到達して熱エネルギーに変わることにより、身体の芯まで均一に熱が広がり身体を暖め、血管を拡張させ、血液の循環を良くすることになる。これにより新鮮な酸素を多く体中の細胞に送り込こむことで新陳代謝を促進するという作用を有している。
【０００８】
また本発明の第３の発明は、前記遠赤外線放射加熱手段は少なくともアルミナ、酸化チタン及び遠赤外線を放射する天然鉱石を配合調整してなる遠赤外線放射粉体と結着剤からなる遠赤外線発生層を設けたことを特徴としている。従って熱伝導の良好なアルミナを配合することにより遠赤外線発生層全体を均一な温度にする作用を有している。また、酸化チタンを含む遠赤外線を放射する天然鉱石等の配合調整により、遠赤外線の放射波長範囲を任意に構成できることから、遠赤外線発生層から放射させる遠赤外線波長を育成光線の波長範囲である３〜１６μｍに配合調整できるという作用を有している。また、遠赤外線発生層は遠赤外線放射粉体と結着剤とから構成しているため、遠赤外線放射粉体と結着剤の混合物を乾燥することにより略柔軟性を持つ遠赤外線発生層を得ることが可能となることから、遠赤外線発生層の脆さの防止や割れ防止などの作用を有することになる。
【０００９】
また本発明の第４の発明は、前記結着剤は蒟蒻繊維もしくは耐熱塗料もしくはセメントからなることを特徴としている。従って、水分を含む蒟蒻繊維もしくは耐熱塗料もしくはセメントを乾燥することにより遠赤外線発生層を構成することで、従来の遠赤外線放射セラミック板に比して遠赤外線発生層は略柔軟性を有するため、遠赤外線発生層は若干の可撓性を有し、脆さの対策や割れ防止性能が向上するなどの作用を有することになる。
【００１０】
さらに本発明の第５の発明は、前記イオン発生手段は、イオン放射微粉末を含有し、結合材として蒟蒻繊維を含むイオン発生層を通して空気を循環又は空気を吸引する構成としたことを特徴としている。従って、複数の蒟蒻繊維から構成された網目構造部に微粉末状のイオン発生物質を保持する構成を有している。前記網目構造部は多孔性の構造を有していることからイオン発生部材の比表面積を大きくすることができる。そのため、比表面積が大きい多孔性の構造部を有するイオン発生部材に空気を通過させることにより、効率よくイオンを多量に含んだ空気を送風もしくは吸引できるという作用を有している。
【００１１】
また本発明の第６の発明は、前記遠赤外線放射加熱手段に向けて前記イオン発生手段により生成したイオンを送風通過させることを特徴としている。従って、前記イオン発生手段により発生させたイオンを含む空気を、前記遠赤外線放射加熱手段により発生させた育成光線が放射されている領域を通過させる。これにより、イオン化された空気に必要充分な育成光線を放射させることにより、イオン化した空気のマイナスイオン成分はプラスイオンを中和し、細胞の酸化を抑制し、体を健康な弱アルカリ性に保もちながら、なおかつ細胞の不安定な分子に電子を与え、活性酸素の発生そのものを抑えるなどの作用を有することになる。
【００１２】
また本発明の第７の発明は、前記空間内部を上下に仕切る仕切り手段を有することを特徴としている。サウナ室内の下部に配置した遠赤外線発生装置から発生させた育成光線は、サウナ室下部領域の空気を温めることにより、サウナ室の下部から上部にかけて暖められた空気が上昇する。そのため、サウナ室内の下部領域の温度が上部領域より低くなることからサウナ利用者の下半身の発汗効率が低下する。また、サウナ利用者の顔面に、下部から上昇してくる温められた空気が直接当たることにより、不快感や息苦しさを感ずることにもなる。そこで、本発明はサウナ室上部領域へと上昇する暖かい空気を仕切り手段により押さえ込むことで、仕切り手段より下方に位置するサウナ利用者の下半身部分を遠赤外線放射加熱手段から発生する育成光線で暖められた暖かい空気で満たすことが可能となることからサウナ利用者の下半身部分の温度を高く保持することにより、体内から効率的に発汗させることができるとともに、下部領域で温められ上部に上昇する空気を直接顔面に当たらなくすることで、サウナ利用者の不快感や息苦しさを防止できるという効果も有している。
【発明の効果】
【００１３】
本発明は、簡単な構成で遠赤外線吸収波長が３〜１６μｍの範囲内の育成光線を放射させることができるとともに、遠赤外線を発生させる遠赤外線発生層を遠赤外線放射粉体と結着剤により構成しているため、装置が軽量となり、尚且つ外部の衝撃などに対して割れにくいことから、故障などに対して信頼性を高い。また、サウナ室内の温度を２５度から６０度、望むべきは３０度から４０度という低温環境においても発汗効果が得られるため、サウナ室内における息苦しさを解消して長時間サウナ浴をおこなうことを可能とさせている。また、空気のイオン化により生成させるマイナスイオン成分をサウナ室内に充満させることにより体内のプラスイオンを中和し、細胞の酸化を抑制し、体を健康な弱アルカリ性に保もちながら、なおかつ細胞の不安定な分子に電子を与え、活性酸素の発生そのものを抑えるなどの効果を有している。
【発明を実施するための最良の形態】
【００１４】
以下本発明の形態について、図面を参照しながら説明する。図１は本発明の遠赤外線低温サウナ装置における１実施例である。
【００１５】
図１においてサウナ室１０１は内部に遠赤外線放射加熱装置１０２ａ〜１０２ｄとイオン発生装置１０３と前記サウナ室１０１の内部の温度を制御する温度制御装置１０４とサウナ室１０１の内部の空気を排出もしくは外部の空気を吸気する吸排気装置１０５とサウナ室１０１の内部の照明装置１０６及びサウナ室１０１に出入りする扉１０７と図示していないサウナ利用者１００が腰をかけて座ることが可能な椅子部１０８から構成されている。
【００１６】
ここでサウナ室１０１を構成する遠赤外線放射加熱装置１０２ａ〜１０２ｄから放射される育成光線及び空気をイオン化させるイオン発生装置１０３から発生させるマイナスイオン成分の身体に対する効能について説明する。
【００１７】
遠赤外線は電気極性を持つ分子（水分子など）に運動エネルギーを与える。分子に振動エネルギーを与えて運動を活発化させるが分子はもともと動いている。水素分子の速度は１．８Km/秒、まっすぐに走れる距離は１．７８×１０-5ｃｍ、他の分子と衝突する回数は１秒間に１００億回といわれている。遠赤外線エネルギーを得た分子は加速して他の分子と衝突し、そして分子の衝突が熱になる。遠赤外線は熱ではなく相手の分子に自己発熱を起こさせる電磁波であり、有機物に吸収されやすく、吸収されると熱に変わる。熱の伝わる方法には熱伝導、対流、放射の３種類があるが、遠赤外線を伝える方法は放射伝達だけである。熱は物質の表面を暖め、遠赤外線は物質の内部を暖めるという違いがある。
【００１８】
人間の平均体温は３６．５℃であり、この温度を波長に換算すると約１０μｍである。１０μｍの遠赤外線を身体に与えると身体を構成する分子の運動が活発化する。波長が重なり合って分子運動が増幅されるからである。これを共鳴共振作用といい、分子運動が活発になれば細胞の活動も活発化することにより血行がよくなり、新陳代謝も活発になることから身体も暖まる。体重の６０％は水分であり、身体の脂肪や重金属は水分子と水分子の間に挟まれている。ここで、水分子と水分子がしっかり結合している状態では脂肪や重金属は動けないが、遠赤外線によって水分子が動き出すと分子の結合はゆるやかになり、水分子の間に挟まれていた有害物や脂肪は開放されて大部分は汗として体外に排出される。遠赤外線には体内や有機物内及び水等に含まれる不要物を排除する作用もある。
【００１９】
たんぱく質などの有機物は遠赤外線の９５％を吸収する。これに比べ近赤外線の吸収率は約８０％。残りの２０％は反射されてしまう。つまり遠赤外線は有機物に吸収されやすく、吸収された遠赤外線は対象物の内部で熱に変わる。
【００２０】
水の遠赤外線吸収スペクトルは３μｍと６〜１６μｍ、動植物等有機物の吸収波長は６〜１６μｍである。つまり生命の源である水と有機物は３〜１６μｍの遠赤外線を吸収していることになる。このように、生命に欠くことのできない遠赤外線は育成光線とも呼ばれている。本発明において遠赤外線放射加熱装置１０２ａ〜１０２ｄは３〜１６μｍの育成光線の範囲を包み、なお且つ３〜１６μｍの波長域において遠赤外線出力ピーク区間を有することが可能であることから、サウナ室内の利用者に効率よく育成光線を放射させることができる。
【００２１】
また、育成光線が直接身体内の皮下に達することで、体内における共鳴共振作用により身体を構成する分子の運動が活発化する。これにより体内皮下部において発熱が発生することにより発汗作用が発生することになる。つまり育成光線を身体に照射して発汗を生じさせることにより、有害物や脂肪を体外に排出することが可能であることから、サウナ室１０１の室内温度を取り分け高く設定する必要性がないことになる。サウナ室１０１内の温度を３０℃〜４０℃程度の低温に保持していても、育成光線の効果により充分な発汗が可能である。そのため、３０℃〜４０℃程度の低温環境でサウナ室１０１内での入浴において、息苦しさを感ずることなく且つ心臓への負担が少ないことから、長時間の入浴が可能となり充分な発汗作用を得ることができることになる。
【００２２】
また、イオン発生手段により発生させたイオンは、イオンを構成するマイナスイオン成分を体内に取り込むことにより、体内のプラスイオンを中和し、細胞の酸化を抑制し、体を健康な弱アルカリ性に保もちながら、なおかつ細胞の不安定な分子に電子を与え、活性酸素の発生そのものを抑えるなどの作用を有する。万病や老化の元であるといわれている活性酸素にマイナスイオンから電子を与えることで酸素及び水に換えることができることから、速効で活性酸素を消すことができるため体内の酸化や炎症を取り除く事が可能になる。
【００２３】
さらに、マイナスイオンには身体に与える４つの作用があるとされている。つまり、１つは血液を浄化するとともに、血液の弱アルカリ化を進めることによる血液の浄化作用。２つ目は細胞の新陳代謝を活発にし、筋肉の活性を高め、内臓を健康にする細胞の臓活作用。３つ目は血液中のガンマグロブリンを増やし、からだの抵抗力・免疫力を高める抵抗力の増進作用。４つ目は自律神経の機能を向上させ、内分泌作用や造血作用を亢進する自律神経の調整作用である。前記の４つの作用の相乗効果によって、鎮静・催眠・制汗・食欲増進・血圧降下・爽快感・疲労防止・疲労回復など、人の健康を積極的に助けてくれることになる。
【００２４】
また、サウナ室１０１内に発生させるマイナスイオンは身体の皮膚や呼吸（肺）から体内に取り込まれることにより体内細胞に電子を供給することになる。それにより、体内細胞が活性化し、細胞で作られている各臓器の機能が活発化するとともに、免疫細胞も活性化し電子の生理活性化作用として身体の健康に大きく貢献することになる。
【００２５】
図１において図示されていないサウナ利用者１００はサウナ室１０１内の椅子部１０８に座した状態で、サウナ室１０１内に発生させたマイナスイオンを呼吸により吸引しながら育成光線を身体に放射させる。本実施例ではサウナ利用者１００の背中に対面する位置の遠赤外線放射加熱装置１０２ａとサウナ利用者１００が腰掛ける椅子部１０８の下部に配置した遠赤外線放射加熱装置１０２ｂ、及び右斜め前に位置する遠赤外線放射加熱装置１０２ｃと左斜め前に位置する遠赤外線放射加熱装置１０２ｄを配置している。これにより遠赤外線放射加熱装置２ａ〜２ｄから放射される育成光線を身体全体に放射するとともに、イオン発生装置１０３により発生させたマイナスイオン成分を体内に取り込むことになる。また、温度制御装置１０４によりサウナ室１０１内の温度を任意に設定することでサウナ室１０１内の温度を３０℃から４０℃の低温に維持することができる。ここで、温度制御装置１０４には遠赤外線放射加熱装置１０２ａ〜１０２ｄ及びイオン発生装置１０３の動作時間を制御するタイマー機能も設けられているため任意の時間で遠赤外線放射加熱装置１０２ａ〜１０２ｄを動作させることが可能である。給排気装置１０５はサウナ室１０１内を低温環境に維持していてもサウナ利用者１００がサウナ室１０１の外部環境よりも湿度及び温度が高いことから外気をサウナ室１０１内に取り込みたいときやサウナ室１０１内の空気を外部に排出したいときに空気を吸排気できる構成としている。また、サウナ室１０１内には照明装置１０６が配置されているため、長時間の入浴においても本等を読むことによりリラックスした入浴を楽しむことが可能である。
【００２６】
図２はサウナ室１０１内を上方から見た図面である、サウナ利用者１００に対して背中に対面する位置の遠赤外線放射加熱装置１０２ａと下半身（脹脛）に対面する位置の遠赤外線放射加熱装置１０２ｂ、及び右斜め前に位置する遠赤外線放射加熱装置１０２ｃと左斜め前に位置する遠赤外線放射加熱装置１０２ｄを配置することで、サウナ利用者１００の周囲から体全体に育成光線を放射させる構成を有している。
【００２７】
図３はイオン発生装置１０３と遠赤外線放射加熱装置１０２ｄの配置図である。図３に示すようにイオン発生装置１０３は遠赤外線放射加熱装置１０２ｄの上方に位置しており、イオン発生装置１０３で発生させたマイナスイオンを多く含むイオン群を下部に位置する遠赤外線放射加熱装置１０２ｄに送風させている。送風されたイオン群は遠赤外線放射加熱装置１０２ｄから放射される育成光線により過熱されるとともに、イオン群に育成光線が吸収された状態となる。この構成によりイオン群に３〜１６μｍの吸収波長を有する育成光線を放射することにより、イオン群が活性化されより効率の良い前記４つの相乗効果を生むことが可能となる。図３ではイオン発生装置１０３の上部から下部方向に向けてイオン群を送風させることにより、遠赤外線放射加熱装置１０２ｄで暖められた空気とともに上昇する育成光線に衝突させることにより空気の乱流を発生させ、サウナ室１０１内に育成光線を吸収させたマイナスイオンを効率よく拡散させる構成としている。
【００２８】
また、イオン発生装置１０３の下部から上部方向に向けてイオン群を送風させることにより、イオン発生装置１０３の下部に配置させている遠赤外線放射加熱装置１０２ｄで発生する育成光線を、イオン発生装置１０３内に取り込んでイオン発生装置１０３内で発生しているイオン群に育成光線を照射し、育成光線を吸収したイオン群をイオン発生装置１０３の上方からサウナ室１０１の上部方向に送風させることでも同様の効果を得ることが可能である。
【００２９】
ここで、育成光線を放射する遠赤外線放射加熱装置１０２ａ〜１０２ｄの構成についての１実施例について説明する。
【００３０】
図４において、遠赤外線を放出する遠赤外線放射加熱装置１０２ａ〜１０２ｄは絶縁板３０１と、前記絶縁板３０１の外周に巻かれている抵抗発熱体３０２と、前記抵抗発熱体３０２の両側を狭挟する狭挟保持用絶縁板３０３と、前記狭挟保持用絶縁板３０３の外表面に設置した熱伝導が良好な凹部構成を有する金属板３０４と、前記金属板と接触して配置させている網体３０５と、前記金属板３０４の凹部内に網体３０５を内包する構成の遠赤外線発生層３０６から構成されている。ここで、熱伝導が良好な凹部形状を有する前記金属板３０４の下部に多数個の貫通穴３０７を有している。
【００３１】
また、図５は前記遠赤外線放射加熱装置１０２ａ〜１０２ｄの断面図である。遠赤外線発生層３０６の一部は熱伝導が良好な凹部形状を有する金属板３０４の底部に構成している多数個の貫通穴３０７を貫通して狭挟保持用絶縁板３０３に直接接して配置している。また、網体３０５は金属板３０４と接触した状態で遠赤外線発生層３０６の内部に配置するように構成されている。
【００３２】
図４に、図示されていない電圧を発生する電源部と、電圧を制御する制御部から構成される印加電圧制御ブロックで発生させた任意の電圧を、抵抗発熱体３０２に印加することにより抵抗発熱体３０２を発熱させる。抵抗発熱体３０２は板状に平面を有する絶縁板３０１に巻きつけて構成させることにより、平面全体から発熱した熱を幅広く放射させることができ、均一な熱を広い面積で放射することができる。抵抗発熱体３０２は外部との絶縁を目的とした狭挟保持用絶縁板３０３で抵抗発熱体３０２の両側から狭挟している。狭挟保持用絶縁板３０３の少なくとも片面に熱伝導が良好な凹部形状を有する金属板３０４を取り付けることにより、抵抗発熱体３０２で発生した熱を狭挟保持用絶縁板３０３を介して熱伝導が良好な凹部形状を有する金属板３０４に伝えることができる。また、熱伝導が良好な凹部形状を有する金属板３０４はその熱伝導性の良好性から金属板３０４全体を均一な温度に分布させることができる。本実施例では熱伝導性の良好性から金属板３０４は銅板を使用しているが、鉄やステンレス等の材料で構成することが可能であると共に、金属に限らずアルミナ等熱伝導が良好なセラミックスで構成することもできる。また、間隙部を持つ網体３０５が金属板３０４と接触させて配置させている。本実施例では熱伝導の良好性から網体３０５は鉄もしくは銅などの金属を使用しているが、炭素繊維やアルミナ等熱伝導の良好な材料で構成することが可能である。その結果、金属板３０４の熱が効率よく網体３０５に伝えることができるため、金属板３０４と網体３０５を略均一な温度に設定することが可能となる。
【００３３】
以上で構成されている構造体の熱伝導が良好な凹部形状を有する金属板３０４の凹部形状部に遠赤外線を発生する天然鉱石の微粉末を含有させた混合液を熱伝導が良好な凹部形状を有する金属板３０４の凹部形状部に流し込むことにより、熱伝導が良好な凹部形状を有する金属板３０４の凹部形状部に形成されている多数個の貫通穴の内部まで混合液を流し込むことで抵抗発熱体３０２から発生する熱を伝える狭挟保持用絶縁板３０３に直接接触させて配置する構成をとることができる。また、多数個の貫通穴の内部まで混合液を流し込む構成を取ることにより、混合液を乾燥させて得ることができる遠赤外線発生層３０６と金属板３０４との密着強度を高くすることができるという効果も有している。また同様に、熱伝導が良好な凹部形状を有する金属板３０４の凹部形状部に複数の凹部を構成することにより遠赤外線発生層３０６と金属板３０４との密着強度を高くすることができる。
【００３４】
ここで、遠赤外線発生層３０６は遠赤外線を発生する天然鉱石の微粉末を含有させた混合液であるため、遠赤外線発生層３０６そのものは熱伝導が悪く、熱伝導が良好な凹部形状を有する金属板３０４から均一な加熱をおこなっても遠赤外線発生層３０６全体は均一な温度分布を得ることができない。この問題を解消するため金属板３０４の凹部形状部に隙間部を形成する網体５を接触させて配置し、遠赤外線を発生する天然鉱石の微粉末を含有させた混合液を流し込むことにより遠赤外線発生層３０６を構成している。その結果、遠赤外線発生層３０６を金属板３０４により外部から加熱すると共に、金属板３０４に接触して取り付けた熱伝導性が良好な網体５を遠赤外線発生層３０６の内部に配置させることにより、遠赤外線発生層３０６の内部からも過熱が可能となり、遠赤外線発生層３０６全体を均一に加熱させることが可能になる。
【００３５】
遠赤外線を発生する天然鉱石の微粉末を含有させた混合液を流し込むことにより形成される遠赤外線発生層３０６は、水分を除去する乾燥により個体として形成することが可能となる。ここで金属板３０４の凹部形状部の深さが深い場合、遠赤外線を発生する天然鉱石の微粉末を含有させた混合液を複数回に分けて乾燥と流し込みを繰り返すことにより、乾燥時の遠赤外線発生層３０６の割れを防止することができる。
【００３６】
また、金属板３０４の凹部形状部の内部面領域に遠赤外線発生層３０６を形成するとともに、網体５を構成する金属もしくは炭素繊維もしくはアルミナ等の外表面に遠赤外線発生層３０６を形成することでも同様の効果を得ることができる。
【００３７】
さらに、金属板３０４の凹部形状部内に凹凸のある形状を形成し、凹部に遠赤外線発生層３０６を形成することでも同様の効果を得ることができる。
【００３８】
ここで、遠赤外線発生物質を作成するためには、遠赤外線を放射する天然鉱石を切り出すことにより作成可能であるが、形状の自由度を得ることが困難であるため、遠赤外線発生物質を任意の形状で得ることが困難であり、天然鉱石の内部に熱伝導の良好な部材を配置することは困難であった。そこで、従来の手法において任意の形状の遠赤外線発生物質を作成するには、遠赤外線を放出する天然鉱石の微粉末と、結着剤となるセメントを混ぜ合わせ成型することで作成することができた。しかしながら両材料とも粉末のため、混ぜ合わせる時に均一分散が困難であると共に、作成した遠赤外線発生物質は衝撃などに対して脆い、割れやすい、金属など遠赤外線発生物質を保持する基盤から剥離しやすい、外部の温度変化に対して膨張収縮が発生しやすい等の欠点があった。
【００３９】
本発明は少なくとも遠赤外線発生層３０６にアルミナと塩化カルシウムと硫酸第一鉄とチタン微粉末とラジウムとトリウムとブラックシリカ等を含有することで上記課題を解決し、任意の形状で略柔軟性のある遠赤外線発生層３０６を作成している。以下その製造方法について説明する。
【００４０】
第一の基材は千枚石、水晶、ハモナイト、角閃石、蛇紋石、石英閃緑石、花崗班石、凝灰石、酸化カルシウム、マグネシア、シリカ等の遠赤外線放射特性を有するセラミックスの単体またはその複合物より成るセラミックスの微粉末からなる遠赤外線放射物質の微粉末である。
第二の基材は第一の基材間を結合するための結着剤として作用するセメントである。
第三の基材は第一の基材と第二の基材を含有した水溶液を作成するために少なくとも塩化カルシウムと硫酸第一鉄からなる溶剤である。本発明の実施例においてはさらに、炭酸カリウムと塩化アンモニウムも合わせて含有させている。
【００４１】
本実施例においては、まず初めに、第一の基材である前記遠赤外線放射物質の微粉末を２５０ｇから１５００ｇ望むべきは７５０ｇと、第二の基材であるセメントを２５ｇから２５０ｇ望むべきは１０８ｇ混合させて混合物を作成する。
次に、塩化カルシウムを１０００ｇから４０００ｇ望むべきは２５００ｇと、硫酸第一鉄を１５０ｇから８００ｇ望むべきは４２５ｇと、炭酸カリウムを５０ｇから２５０ｇ望むべきは１２５ｇと、塩化アンモニウムを１００ｇから５００ｇ望むべきは２５０ｇを混合した混合物に、水２リットルから７リットル望むべきは５リットルを混入し攪拌させて水溶液を作成する。この水溶液の５０ｇから２５０ｇ望むべきは１２５ｇと、前記第一の基材と前記第二の基材の混合物とを混合攪拌させて遠赤外線放射物質含有混合液となる第三の基材を作成する。ここで第三の基材中の水の混合量を変えることにより、赤外線放射物質含有混合液の粘度の調整が可能となる。
また、第一の基材と第二の基材と第三の基材の重量比が３〜８：０．５〜２：０．１〜１ として混合攪拌により得られる混合液においても同様な効果が得られる。
【００４２】
上記から遠赤外線放射物質含有混合液は適度な粘度に調整することが可能である。本実施例では熱伝導が良好な凹部構成を有する金属板３０４の凹部構造に遠赤外線放射物質含混合液を流し込んでいる。遠赤外線放射物質含混合液の粘度は熱伝導が良好な凹部構成を有する金属板３０４の凹部構造部に配置した多数個の貫通穴を有すか、もしくは表面に多数の凹部を有する構造の全領域に遠赤外線放射物質含混合液が流し込むことができる粘度に調整している。遠赤外線放射物質含混合液を熱伝導が良好な凹部構成を有する金属板３０４の凹部構造部に流し込んだ後に遠赤外線放射物質含混合液を乾燥し水分を除去することにより、固形化させた遠赤外線発生層３０６を得ることができる。
【００４３】
ここで、乾燥により水分を蒸発させると遠赤外線発生層３０６は収縮するが、第三の基材として加えている塩化カルシウムと硫酸第一鉄は乾燥により遠赤外線発生層３０６は膨張する作用がある。その結果、乾燥前の遠赤外線発生層３０６の体積と乾燥後に得られる遠赤外線発生層３０６の体積の変化を略なくすことが可能となる。
【００４４】
以上により、遠赤外線放射物質含混合液を熱伝導が良好な凹部構成を有する金属板３０４の凹部構造部に流し込んで乾燥させているため結着剤としのセメントの効果により剛体と違い脆い、衝撃により割れ易い、温度による膨張収縮等のない遠赤外線発生層３０６を形成することができる。また、遠赤外線放射物質含混合液の乾燥前後の体積変化が少ないため、遠赤外線発生層３０６が密着している熱伝導が良好な凹部構成を有する金属板３０４の凹部構造部から乾燥時の収縮による剥れを防止できるという作用も有している。これにより、割れ等の部品の故障による遠赤外線発生層３０６の交換をおこなう頻度が低下するという効果を得ることができる。
【００４５】
ここで、水の遠赤外線吸収スペクトルは３μｍと６〜１６μｍで、動植物の吸収波長は６〜１６μｍと言われている。つまり生命の源である水と有機物は３〜１６μｍの遠赤外線を吸収している。この波長領域は生命に欠くことのできない遠赤外線として育成光線とも呼ばれている。従来の遠赤外線発生物質は図６に示すように遠赤外線の波長が１０μｍ近傍に集中しているため育成光線として有効な３〜１６μｍの広範囲にわたる遠赤外線を放射することが困難であった。本発明は金属板３０４の凹部深さを変えることで遠赤外線発生層３０６の厚みを任意に変えることができる。遠赤外線発生層３０６の厚みを厚く形成することにより遠赤外線を発生する天然鉱石の微粉末を多量に含有させるとともに、遠赤外線発生層３０６の内部に熱伝導の良好な網体５を配置することにより遠赤外線発生層３０６全体を均一に加熱することが可能となる。その結果、図７に示すように３〜２５μｍの広範囲にわたり遠赤外線が放射可能となることから、育成光線として有効な３〜１６μｍの範囲内の遠赤外線が充分に放射することができることから、遠赤外線の被放射物に対して効率的に遠赤外線の吸収が可能となった。
【００４６】
次に、空気のイオン化によりマイナスイオンを発生させるイオン発生装置１０３の構成についての１実施例について説明する。
【００４７】
図８はイオン発生装置１０３の１実施例である。図８において、イオン発生装置１０３はエアーフィルター４０１と紫外線ランプ４０２とマイナスイオン発生物質層４０３とマイナスイオン発生物質４０４とマイナスイオン発生物質集合体４０５と送風ファン４０６とヒーター４０７と遠赤外線発生手段４０８と前記構成物を包含するケース４０９で構成されている。
【００４８】
また、図９は紫外線ランプ４０２を取り付けている位置でのイオン発生装置１０３の断面図である。図９においてイオン発生装置１０３は紫外線ランプ４０２が取り付けられているケース４０９の内壁にマイナスイオン発生物質層４０３を形成している。本実施例はマイナスイオンを発生させる物質を紫外線ランプ４０２周辺領域に塗料として筐体内部に塗布乾燥させてマイナスイオン発生物質層４０３を形成させている。５はマイナスイオン発生物質４０４のマイナスイオン発生物質集合体４０５であり、エアーフィルター４０１から吸引された空気が、
【００４９】
図１０はマイナスイオン発生物質４０４を取り付けている位置でのイオン発生装置１０３の断面図である。図１０においてマイナスイオン発生物質４０４の多孔部及びマイナスイオン発生物質４０４間の隙間１０を通過する。７はヒーター４０７であり送風ファン４０６から送風される空気を加熱させる。８は送風ファン４０６から送風される温風を通過させる貫通穴構造を有する遠赤外線発生手段４０８である。
【００５０】
送風ファン４０６を回転させることにより、空気は外部からゴミ等の異物を除去するためのエアーフィルター４０１を通してケース４０９内部に取り込まれる。取り込まれた空気は紫外線ランプ４０２及びマイナスイオン発生物質層４０３が配置されている領域において発生させたマイナスイオン濃度が高い領域に送風される。
【００５１】
マイナスイオン発生物質層４０３からは常時マイナスイオンが発生しているが、紫外線ランプ４０２の紫外線をマイナスイオン発生物質層４０３に照射することにより、よりいっそうのマイナスイオンを発生させることができる。本実施例によるマイナスイオン発生物質層４０３はマイナスイオンを発生する炭の微粉末とトルマリン微粉末等と赤外線を放出する天然鉱石とをこんにゃく繊維と混ぜた状態で構成され、液体状のこのマイナスイオンを発生させる物質を紫外線ランプ１近傍領域の内壁に塗布し乾燥させたものである。こんにゃく繊維にマイナスイオン発生物質が付着おり、比表面積を大きくできることから空気との接触面積が大きくとれるので、紫外線ランプ４０２の紫外線がマイナスイオン発生物質層４０３に効率よく照射されることにより多量のマイナスイオンを発生することができる。また、マイナスイオン発生物質層４０３は乾燥により構成されているため、外部からの衝撃等による割れなどの故障が発生しにくいという特徴を有している。
【００５２】
ここで、マイナスイオン発生物質層４０３とマイナスイオン発生物質４０４は、こんにゃくいもの精粉、またはこんにゃくの生玉、トルマリン微粉末、炭微粉末を基材とし、更に遠赤外線放射特性を有するセラミックス微粉末を添加材として製造するマイナスイオン生成体の製造方法で作成されてあり、以下その製造方法について詳細に説明する。
【００５３】
第１の基材であるこんにゃくいも、またはこんにゃくの生玉は植物繊維を多く含んでいることが知られており、本発明方法ではこの植物繊維が重要な役目を果たす。そして、こんにゃくいもの水分を除いた無水物についての一般成分の組成は、種類と産地によってもあまり変わらず、平均して灰分６．１％、窒素０．５７％、糖質９５．３％、リン酸０．５４％であり、前記糖質の主体は主成分であるコンニャクマンナンで、これを急冷真空乾燥させると繊維状のスポンジ状態となる。
【００５４】
また、第２の基材であるトルマリンは、電気石と称されている誘導体であり、絶えず静電気を帯び続けるという特性を有すると共に、両端に陽極と陰極の電極を作る極性結晶体である。そして、トルマリンは陽極が周辺の大気や液体に存在する電子を引きつけて結晶内に取入れ、該取入れられた電子はトルマリン内部の電流に取込まれるが、そのために余ったマイナスイオンが陰極から放出されて、このマイナスイオンを生成し続けるという機能を有することが知られている。
【００５５】
更に、第３の基材である炭は、竹炭や木炭より成り、炭素を主成分とするものであって、電気的誘導特性を有することが知られている。
【００５６】
また更に、添加材である遠赤外線放射特性を有するセラミックスは、特に限定する必要はないが、好ましくは遠赤外線を放射することが知られている千枚石、水晶、ハモナイト、角閃石、蛇紋石、石英閃緑石、花崗班石、凝灰石、酸化カルシウム、マグネシア、シリカ等のセラミックスを使用することが推奨される。そして、前記セラミックスの放射する遠赤外線の光感現象が前記トルマリンに作用し、これにより該トルマリンからマイナスイオンを多量に放出できるよう、本発明では前記セラミックスを触媒として使用する。
【００５７】
前記各基材および添加材を用いた製造方法を更に詳細に説明する。先ず、第１工程として、第１の基材であるこんにゃくいもの精粉（こんにゃく粉）を、該精粉の重量に対して約５〜３０倍、好ましくは１５倍の重量の水に投入して混合撹拌して前記精粉を充分に水に溶かし、粘着性が出るまで撹拌作用を続け、そして充分粘着性が出たところで第１工程を終了して、粘着性を有するこんにゃく溶液を得る。
【００５８】
なお、前記第１工程において、こんにゃくいもの精粉に代えてこんにゃくの生玉を使用することができる。この場合、こんにゃくの生玉をすりつぶし、該すりつぶした生玉を水の中に投入して沈殿させ、然る後上澄みを捨てると前記と同様の粘着性を有するこんにゃく溶液を得ることができる。
【００５９】
次に、第２工程として、前記第１工程で得られた粘着性を有するこんにゃく溶液に、前記こんにゃく溶液の重量に対して、第２の基材であるトルマリン微粉末１０〜５０重量％、好ましくは３０重量％および第３の基材である竹炭または木炭の炭微粉末１０〜５０重量％、好ましくは３０重量％をそれぞれ混入すると共に、添加材として千枚石、水晶、ハモナイト、角閃石、蛇紋石、石英閃緑石、花崗班石、凝灰石、酸化カルシウム、マグネシア、シリカ等の遠赤外線放射特性を有するセラミックスの単体またはその複合物より成るセラミックス微粉末３〜１０重量％、好ましくは５重量％を添加混入して混合撹拌し、前記各基材および添加材がこんにゃく溶液中に均等に分散するまで撹拌して第２工程を終了して、基材および添加材の混合溶液を得る。前記基材および添加材の粒径は、特に限定する必要はないが、１００μｍ以下、好ましくは３０μｍ以下とすることが推奨される。
【００６０】
更に、第３工程として、前記第２工程で得られた基材および添加材の混合溶液の重量に対して２〜５重量％、好ましくは３重量％の炭酸ナトリウム、もしくは木灰を固化材として前記混合溶液と共に熱湯に溶かし、該混合溶液が柔軟性を有する程度（つきたてのもちの状態）まで半固化するよう撹拌し、第３工程を終了して半固化物を得る。
【００６１】
そして、第４工程として、前記第３工程で得られた半固化物を最終使用形態、例えば球状、多角形状、円盤状等の所定の形状に合わせて、例えば型抜き等により成型し、第４工程を終了して所定形状の成型体を得る。
【００６２】
最後の第５工程として、前記第４工程で得られた成型体を熱湯に投入して約１〜３時間程度煮沸して、前記成型体をこんにゃく程度の硬さまで固化せしめた後、該煮沸した成型体を熱湯から取り出して−４０〜−１５０℃、好ましくは−１００℃で急冷凍し、然る後前記急冷凍した成型体を３０〜５０℃、好ましくは約４０℃で真空乾燥させて、前記成型体より水分を除去することにより、本発明マイナスイオン生成体の製造工程を完了しマイナスイオン生成体を得る。
【００６３】
前記製造方法によって得られたマイナスイオン生成体は、第５工程で急冷真空乾燥させて水分を除去することにより、こんにゃくいもの繊維質が収縮して強固に絡まり合うと共に、該各繊維質間にトルマリン微粉末、炭微粉末およびセラミックス微粉末が混合した形で取り込まれて一体化され、更に前記水分除去により前記こんにゃくいもの繊維質部分のみがスポンジ状態で残るため、前記トルマリン微粉末、炭微粉末およびセラミックス微粉末を一体に取り込んだマイナスイオン生成体は無数の微細孔を有する多孔質となり、従ってこれにより表面積が大となると共に、該トルマリン微粉末、炭微粉末およびセラミックス微粉末と大気や液体との接触面積が大きくなる。
【００６４】
なお、前記第４工程の成型体の製造工程は、前記第５工程の完了後に行うこともできる。すなわち、第４工程として前記第３工程で得られた半固化物を熱湯に投入して、約１〜３時間程度煮沸して前記半固化物をこんにゃく程度の硬さまで固化せしめた後、熱湯から取り出して−４０〜−１５０℃で急冷凍し、然る後３０〜５０℃で真空乾燥させて水分を除去して固形物を得る。その後、最後の第５工程として、前記第４工程で得られた固形物を最終使用形態の所定の形状に合わせて、例えば切削加工等により成型し、本発明マイナスイオン生成体の製造工程を完了しマイナスイオン生成体を得る。
【００６５】
前記製造方法によって得られたマイナスイオン生成体によるマイナスイオン発生メカニズムは、前記したようにトルマリンはどんなに小さく砕き、粉体にしても常にその結晶状態は一定の形を保ち、その両端に陽極と陰極の電極が発生し、陽極が周辺の大気や液体に存在する電子を引きつけて結晶内に取入れ、この電子を陰極へ搬送して、陰極からマイナスイオンを放出し続けるという電気的特性を有している。そして、トルマリン原石から放出されるマイナスイオンは２０００個/ｃｃといわれている。
【００６６】
前記電気的特性によりマイナスイオンを放出し続けるトルマリンに、炭素を主成分とする竹炭または木炭が保有する電気的誘導特性、および千枚石等のセラミックスが放射する遠赤外線による光感現象が作用して、その両作用の相乗作用により、トルマリンの結晶内に周辺の大気や液体に存在する電子を更に多く引きつけて取入れ、その分多くのマイナスイオンを放出すると共に、更にはトルマリンが微粉末であるため、前記のように大気や液体との接触面積が大であるため、大気や液体からトルマリンが取入れる電子が多くなり、従って前記トルマリンからマイナスイオンを更に多く発生させることができるのである。
【００６７】
表１は、本発明製造方法によって得られたマイナスイオン生成体によるマイナスイオンの発生個数を測定した結果を示す表であり、前記したトルマリン原石からは２０００個/ｃｃしかマイナスイオンは発生しないが、本発明製造方法によって得られたマイナスイオン生成体によれば、平均９４５７個/ｃｃのマイナスイオンが放出されたことが確認できた。
【００６８】
【表１】
2011189038.tif 000003
【００６９】
マイナスイオン発生物質層４０３はケース４０９内部において紫外線ランプ４０２装着部以外の全領域に形成させている。そのため、マイナスイオンが発生する領域をケース４０９内部の広い範囲に構成させることができるため、空気が通過するさいに広い範囲でケース４０９の内部に形成したマイナスイオン発生物質層４０３と空気を接触させることが可能となることから空気内に多量のマイナスイオンを取り込むことが可能となる。
【００７０】
ここで、マイナスイオンを発生する物質の基材および添加材は混合溶液の状態であるため、あらゆる複雑な形状に塗布が可能である。そのため、ケース４０９の内部形状が円筒形に規定することなく、多角形を有する筒状やケース４０９の内部表面に凹凸を有する等、形状に依存することなく混合溶液を塗布が可能であり、塗布後に乾燥させることで任意な形状のマイナスイオン発生物質層４０３を形成することが可能である。
【００７１】
マイナスイオン発生物質層４０３で発生したマイナスイオンを含んだイオン群を、マイナスイオン発生物質集合体４０５を通過させる。マイナスイオン発生物質集合体４０５は図１０に示すように空気が通過する全領域にマイナスイオン発生物質４０４を配置させている。そのため、ケース４０９内を通過する全ての空気がマイナスイオン発生物質４０４の多孔部及びマイナスイオン発生物質４０４間の隙間を通過することになり、マイナスイオン発生物質集合体４０５を通過する空気中に効率よくマイナスイオンを取り込むことが可能となる。
【００７２】
マイナスイオンを多量に含んだイオン群はヒーター４０７において加熱される。加熱されたマイナスイオンを多量に含んだ空気は遠赤外線発生手段４０８のハニカム形状や多角形形状を有する貫通穴部を通過すると、遠赤外線発生手段４０８にはマイナスイオンを発生させる材料も含有させているため、遠赤外線発生手段４０８を通過する温風は第一の遠赤外線発生手段４０８から発生するマイナスイオンをも含み、遠赤外線発生手段４０８の外表面から発生する遠赤外線も合わせた温風を送風することができる。なを、本実施例はヒーター４０７を金属抵抗体で構成しているが、さらに金属抵抗体の外表面にマイナスイオンを発生させる材料も含有させた遠赤外線発生層を形成することにより、より多くのマイナスイオン及び遠赤外線を照射する構成をとることもできる。
【００７３】
また、本発明の実施例ではマイナスイオン発生物質層４０３及びマイナスイオン発生物質４０４には電力等を印加することなくマイナスイオンを発生させることが可能なため、低消費電力で本発明のイオン発生装置１０３を駆動させることが可能となる。また同様に遠赤外線発生手段４０８にも外部から電力等の印加が不要なため、同じく低消費電力で本発明のイオン発生装置１０３を駆動させることが可能である。
【００７４】
次に、イオン発生装置１０３の第２の実施例を図１１に示す。遠赤外線発生手段４０８として、内部にヒーター４０７を内蔵する複数の羽構造を有するフィン４１１の外表面に遠赤外線発生手段４０８を形成している。フィン４１１部の断面図を図１２に示す。
【００７５】
ヒーター４０７により、アルミニュームや銅など熱伝導が良好な金属で構成されるフィン４１１を加熱する。加熱されたフィン４１１はその熱伝導の良好性から全領域とも均一加熱させることができる。これにより加熱された外表面に形成されている遠赤外線発生手段４０８から均一な遠赤外線を放射することが可能となる。遠赤外線発生手段４０８が形成された複数の羽構造を持つフィン４１１により上流から送風される空気との接触面積を大きくとることができるため、遠赤外線発生手段４０８から空気へと効率的に遠赤外線を放射することが可能となる。また、図示されていないヒーターの制御回路によりヒーターの表面温度を任意に設定することが可能であり、その結果として任意の遠赤外線吸収波長の範囲内で任意のエネルギー放射量が制御可能となる。以上から、上流から送風されてくるマイナスイオンを多量に含む空気中に遠赤外線を吸収させて、マイナスイオンと遠赤外線を含む温風として装置外部に排出することが可能となる。
【００７６】
続いて、イオン発生装置１０３の第３の実施例を図１３に示す。図３に示すようにイオン発生装置１０３で生成したイオン群を下方に位置する遠赤外線放射装置１０２ｄにおいて放射される育成光線にイオン群を送風する。第1の実施例及び第２の実施例においてはイオン発生装置１０３の内部にイオンを含む空気を加熱するヒーター４０７を備えているが、さらに簡単な構成で部品個数を減らすことで低コストなイオン発生装置１０３を提案するものである。イオン発生装置１０３のケース４０９内にマイナスイオン発生物質層４０３及びマイナスイオン発生物質４０４を配置させ送風ファン４０６によりイオン発生装置１０３で発生させたイオンを遠赤外線放射装置１０２ｄの育成光線が放射されている領域に送り込む。また、下方に配置しているイオンを遠赤外線放射装置１０２ｄより放射される育成光線が上方に位置するイオン発生装置１０３のケース４０９を加熱する効果があるため、イオン発生装置１０３内のマイナスイオン発生物質層４０３及びマイナスイオン発生物質４０４が加熱することによりマイナスイオンがより効率的に発生させることが可能となる。以上から図１３の構成においてもイオン発生装置１０３の実施例１及び実施例２と同様な効果を得ることができる。
【００７７】
さらに、イオン発生装置１０３の第４の実施例を図１４に示す。図３に示すようにイオン発生装置１０３で生成したイオン群を下方に位置する遠赤外線放射装置１０２ｄにおいて放射される育成光線にイオン群を送風する。第1の実施例及び第２の実施例においてはイオン発生装置１０３の内部にイオンを含む空気を加熱するヒーター４０７を備えているが、さらに簡単な構成で部品個数を減らすことで低コストなイオン発生装置１０３を提案するものである。イオン発生装置１０３のケース４０９内にマイナスイオン発生物質層４０３を配置させ送風ファン４０６によりイオン発生装置１０３で発生させたイオンを遠赤外線放射装置１０２ｄの育成光線が放射されている領域に送り込む。また、下方に配置しているイオンを遠赤外線放射装置１０２ｄより放射される育成光線が上方に位置するイオン発生装置１０３のケース４０９を加熱する効果があるため、イオン発生装置１０３内のマイナスイオン発生物質層４０３及びマイナスイオン発生物質４０４が加熱することによりマイナスイオンがより効率的に発生させることが可能となる。以上から図１４の構成においてもイオン発生装置１０３の実施例１及び実施例２と同様な効果を得ることができる。
【００７８】
続いて、図１５に前記サウナ室１０１の内に仕切り手段を配置した実施例を示す。図１５において、サウナ利用者１００は椅子部１０８に着座し、背中部に対向する位置に配置した遠赤外線放射装置１０２ａと脹脛に対向する位置に配置した遠赤外線放射装置１０２ｂとサウナ利用者１００の右斜め前方下部に配置した遠赤外線放射装置１０２ｃとサウナ利用者１００の左斜め前方下部に配置した遠赤外線放射装置１０２ｄと、同じくサウナ利用者１００の左斜め前方下部に配置したイオン発生装置１０３と、サウナ室１０１の上下を仕切る仕切り板１５００で構成している。
【００７９】
ここで、遠赤外線放射装置１０２ｂ〜１０２ｄの上部を仕切り板１５００で覆う構成としている。そのため、遠赤外線放射装置１０２ｂ〜１０２ｄから放射される育成光線により、人体が内部から暖められるとともに、温められた空気の上昇を仕切り板１５００で遮ることでサウナ利用者１００の下部をより仕切り板下部領域Aを暖かい状態に保持することが可能となり、下半身からの発汗作用を高めるという効果を有している。
【００８０】
また、図１６に示すように、暖められた空気はサウナ室１０１内に配置した仕切り板１５００とサウナ室１０１の内壁からなる開口部から、空気の流れBとしてサウナ室１０１の下部から上部へと上昇するが、サウナ利用者１００の頭部は仕切り板１５００の上部に位置することができることから、暖められて空気を下方から直接吸い込むことを回避できるため、息苦しさを感じることなくさらに快適なサウナ浴ができるという効果も有している。
【００８１】
さらに、図１６において、仕切り板１５００はヒンジ１５０１で片側を固定することにより可動可能な構成を有しており、仕切り板１５００を倒し受け部材１５０３で位置固定することによりテーブルとしても使用することが可能となる。それにより、サウナ利用者１００が仕切り板１５００上で手軽に読書や作業及び飲食を楽しめることから、長時間のサウナ浴においても快適な時間を過ごせることができ、その結果、充分なイオン浴と発汗を促すことができるという効果も有している。
【００８２】
図１７において、仕切り板１５００を跳ね上げて、収納する収納具１５０２を配置している。その結果、仕切り板１５００を跳ね上げて、収納具１５０２を使用して仕切り板１５００側面に収納することによりサウナ室の出入りがスムーズに行えるという効果も有している。サウナを使用時にのみ、仕切り板１５００を倒して下部の温度を高く保ち発汗作用を向上させるとともに、テーブルとしても使うことで快適に長時間過ごし、不必要時には簡単に側面に収納することができるという効果も有している。
【００８３】
以上から、育成光線を吸収したマイナスイオンをサウナ室１０１内に満たし、サウナ利用者１００が前記マイナスイオンを体内に吸引することで身体の健康に大きく貢献するとともに、サウナ利用者１００の体全体に育成光線を放射することにより３０〜４０℃の低温環境雰囲気中において息苦しさなど感じずに長時間入浴が可能であることから充分な発汗を得ることが可能となる。
【産業上の利用可能性】
【００８４】
本発明を構成する遠赤外線放射加熱装置は、人体以外に育成光線を水や食品や頭皮、髪等有機物等に放射することにより、被放射物の内部に遠赤外線エネルギーを得た分子は加速して他の分子と衝突することで熱を発生させることができる。その結果、赤外線の被放射物の内部から水分を蒸発させることが可能であるため乾燥物の作成に有効である。また、遠赤外線によって水分子が動き出すと分子の結合はゆるやかになり、水分子の間には挟まれていた有害物や脂肪は開放されて有機物の外部に排出されるため、有機物内の不要物を排除するにも有用である。
また、本発明を構成するイオン発生装置は、マイナスイオンによる還元雰囲気中で遠赤外線を食品や頭皮、髪等有機物等の被乾燥物に照射することにより、被乾燥物の内部より水分を蒸発させることで外皮を酸化させずに乾燥させることができる。そのため、被乾燥物の内部及び外皮を均一に且つ短時間で乾燥させることに有用である。また、本発明のイオン発生装置から送風される温風を水等の液体中に吹き込むことにより、遠赤外線の効果として水分子の間には挟まれていた有害物や脂肪は開放されている扶養物を開放化するにも有用であるとともに、マイナスイオンを多量に含んだ活性化された液体を作成するにも有用である。
以上の効果を暖房、乾燥、健康、医療、美容、保温などの分野に利用することが可能である。
【図面の簡単な説明】
【００８５】
【図１】本発明に係る遠赤外線低温サウナ装置の斜視図
【図２】本発明に係る遠赤外線低温サウナ装置の上部断面図
【図３】本発明に係る加熱装置及び遠赤外線放射装置の配置図
【図４】本発明に係る遠赤外線放射装置の斜視図
【図５】本発明に係る遠赤外線放射装置の断面図
【図６】従来の波長別遠赤外線放射量のグラフ
【図７】本発明の波長別遠赤外線放射量のグラフ
【図８】本発明に係るイオン発生装置の断面構成図
【図９】本発明に係る紫外線ランプ及びマイナスイオン発生物質層部の断面図
【図１０】本発明に係るマイナスイオン発生物質集合体部の断面図
【図１１】本発明に係るイオン発生装置の断面構成図
【図１２】本発明に係るイオン発生装置内の遠赤外線発生手段の断面図
【図１３】本発明に係るイオン発生装置の断面構成図
【図１４】本発明に係るイオン発生装置の断面構成図
【図１５】本発明に係る遠赤外線低温サウナ装置の正面断面図
【図１６】本発明に係る遠赤外線低温サウナ装置の側面断面図
【図１７】本発明に係る遠赤外線低温サウナ装置の側面断面図
【符号の説明】
【００８６】
A  仕切り板下部領域
B  空気の流れ
１００  サウナ利用者
１０１  サウナ室
１０２ａ〜１０２ｄ  遠赤外線放射装置
１０３  イオン発生装置
１０４  温度制御装置
１０５  吸排気装置
１０６  照明装置
１０７  扉
１０８  椅子部
３０１  絶縁板
３０２  抵抗発熱体
３０３  狭挟保持用絶縁板
３０４  金属板
３０５  網体
３０６  遠赤外線発生層
３０７  貫通穴
４０１  エアーフィルター
４０２  紫外線ランプ
４０３  マイナスイオン発生物質層
４０４  マイナスイオン発生物質
４０５  マイナスイオン発生物質集合体
４０６  送風ファン
４０７  ヒーター
４０８  遠赤外線発生手段
４０９  ケース
４１０  隙間
４１１  フィン
１５００  仕切り板
１５０１  ヒンジ
１５０２  収納具
１５０３  受け部材
【図１】
2011189038.tif 000004
【図２】
2011189038.tif 000005
【図３】
2011189038.tif 000006
【図４】
2011189038.tif 000007
【図５】
2011189038.tif 000008
【図６】
2011189038.tif 000009
【図７】
2011189038.tif 000010
【図８】
2011189038.tif 000011
【図９】
2011189038.tif 000012
【図１０】
2011189038.tif 000013
【図１１】
2011189038.tif 000014
【図１２】
2011189038.tif 000015
【図１３】
2011189038.tif 000016
【図１４】
2011189038.tif 000017
【図１５】
2011189038.tif 000018
【図１６】
2011189038.tif 000019
【図１７】
2011189038.tif 000020